(57)【要約】【課題】水下・水上側に配する横葺き外装材が強固に且つ確実に連結されて取り付けられる横葺き外装構造、その施工方法、及び横葺き外装材を提供する。【解決手段】本発明の横葺き外装構造は、面板部２の水下・水上側に相互に係合可能な水下側成形部３、水上側成形部４を有する横葺き外装材１を保持部材５を用いて敷設する横葺き外装構造において、前記横葺き外装材１の水下側成形部３、水上側成形部４が敷設状態において複数箇所でそれぞれが弾性的に当接している。【選択図】  図１
2004251041.tif 000002
【特許請求の範囲】
【請求項１】
面板部の水下・水上側に相互に係合可能な水下側成形部、水上側成形部を有する横葺き外装材を保持部材を用いて敷設する横葺き外装構造において、
前記横葺き外装材の水下側成形部、水上側成形部が敷設状態において複数箇所でそれぞれが弾性的に当接していることを特徴とする横葺き外装構造。
【請求項２】
水上側成形部は、面板部を表面側に折曲し、その隅部又は折曲片に形成した被係合部と、折曲片の上端を折曲基部に向かって折り返した被保持部を有し、水下側成形部は、面板部を裏面側に折曲し、その折曲片の下端を水上側に延出させて前記被係合部と係合する係合部を有し、保持部材は、固定部と傾斜部と外装材を保持する保持部を有し、保持部材の保持部で水上側成形部の被保持部を保持すると共に、水上側成形部の被係合部に水下側成形部の係合部を係合させることを特徴とする請求項１に記載の横葺き外装構造。
【請求項３】
水上側成形部は、水下側へ延出して下方へ突出する第１被当接部を備え、水下側成形部は、水上側へ延出して上方へ突出する第１当接部を備え、敷設状態において第１被当接部と第１当接部は弾性的に当接していることを特徴とする請求項１又は２に記載の横葺き外装構造。
【請求項４】
水下側成形部は、下向き傾斜する第２当接部を備え、敷設状態において第２当接部は面板部に弾性的に当接していることを特徴とする請求項１〜３の何れか一項に記載の横葺き外装構造。
【請求項５】
水上側成形部は、面板部を表面側に折曲し、その折曲片に形成した第３被当接部を備え、水下側成形部は、水上側へ延出して前記第３被当接部と係合する第３当接部を備え、敷設状態において第３被当接部と第３当接部は弾性的に当接していることを特徴とする請求項１〜４の何れか一項に記載の横葺き外装構造。
【請求項６】
水下側成形部は、面板部を裏面側に折曲し、その折曲片の下端を水上側へ延出した延出片に形成した第４当接部を備え、敷設状態において第４当接部は面板部に弾性的に当接していることを特徴とする請求項１〜５の何れか一項に記載の横葺き外装構造。
【請求項７】
面板部の水下・水上側に相互に係合可能な水下側成形部、水上側成形部を有する横葺き外装材を保持部材を用いて敷設する横葺き外装構造において、
水上側成形部は、面板部を表面側に折曲し、その隅部又は折曲片に形成した被係合部と、折曲片の上端を折曲基部に向かって折り返した被保持部を有し、
水下側成形部は、面板部を裏面側に折曲し、その下端を水上側へ延出させて前記被係合部と係合する係合部を有し、
保持部材は、固定部と傾斜部と外装材を保持する保持部を有し、
水下側に配置された横葺き外装材の水上側成形部の被保持部を保持部材の保持部で保持した後、その水上側に配置される横葺き外装材の水下側成形部の係合部を、水下側に配置された横葺き外装材の被係合部に係合させると共に、水下側成形部、水上側成形部が敷設状態において複数箇所でそれぞれが弾性的に当接するように取り付けることを特徴とする横葺き外装構造の施工方法。
【請求項８】
面板部の水下・水上側に相互に係合可能な水下側成形部、水上側成形部を有する横葺き外装材であって、
水上側成形部は、面板部を表面側に折曲し、その隅部又は折曲片に形成した被係合部と、折曲片の上端を折曲基部に向かって折り返した被保持部を有し、さらに水下側へ延出して下方へ突出する第１被当接部、面板部を表面側に折曲し、その折曲片に形成した第３被当接部を備え、
水下側成形部は、面板部を裏面側に折曲し、その折曲片の下端を水上側へ延出させて前記被係合部と係合する係合部を有し、さらに水上側へ延出して上方へ突出する第１当接部、下向き傾斜する第２当接部、水上側へ延出して前記第３被当接部と係合する第３当接部、面板部を裏面側に折曲し、その折曲片の下端を水上側に延出した延出片に形成した第４当接部を備え、
敷設状態において、第１当接部は第１被当接部、第２当接部は面板部、第３当接部は第３被当接部、第４当接部は面板部にそれぞれ弾性的に当接するように敷設可能であることを特徴とする横葺き外装材。
【発明の詳細な説明】
【０００１】
【発明の属する技術分野】
本発明は、水下・水上側に配する横葺き外装材が強固に且つ確実に連結されて取り付けられる横葺き外装構造、その施工方法、及び横葺き外装材に関する。
【０００２】
【従来の技術】
従来より数多くの横葺き外装材及び外装構造が提案、製品化されているが、特に防水性、施工性、取付強度の向上を目的とした提案もなされている（例えば特許文献１など）。
【０００３】
【特許文献１】
特許第３３０９１６９号公報（段落番号００２６，図１，２）
【０００４】
特許文献１は、化粧面１と、弾性係合する上部連結部２、下部連結部１２を備える屋根材Ａであって、上部連結部２には、係合溝３、側面４、外面６、支持面８、嵌合溝１１などが形成され、下部連結部１２には、段差化粧面１３、傾斜面１４、突起１５、係合面１６などが形成される構成であり、毛細管現象を防止する空間を複数箇所形成することにより、防水性を向上させると共に、常時弾力が付加されるように傾斜面を形成することにより、連結強度を向上させようとするものである。
【０００５】
【発明が解決しようとする課題】
しかしながら、前記特許文献１では、敷設状態で常時弾力が付加された状態となるのは傾斜面（１４）のみであるため、傾斜面の弾性が損なわれた場合には全ての係合関係に支障が生じ、防水性並びに連結強度にも問題を生じ易いものであった。
そこで、本発明は、より強固に且つ確実に連結されて取り付けられる横葺き外装構造を提案することを目的とする。
【０００６】
【課題を解決するための手段】
本発明は前記事情に鑑み提案されたもので、面板部の水下・水上側に相互に係合可能な水下側成形部、水上側成形部を有する横葺き外装材を保持部材を用いて敷設する横葺き外装構造において、前記横葺き外装材の水下側成形部、水上側成形部が敷設状態において複数箇所でそれぞれが弾性的に当接していることを特徴とする横葺き外装構造に関するものである。
【０００７】
また、本発明は、横葺き外装構造の施工方法も提案するものであって、面板部の水下・水上側に相互に係合可能な水下側成形部、水上側成形部を有する横葺き外装材を保持部材を用いて敷設する横葺き外装構造において、水上側成形部は、面板部を表面側に折曲し、その隅部又は折曲片に形成した被係合部と、折曲片の上端を折曲基部に向かって折り返した被保持部を有し、水下側成形部は、面板部を裏面側に折曲し、その下端を水上側へ延出させて前記被係合部と係合する係合部を有し、保持部材は、固定部と傾斜部と外装材を保持する保持部を有し、水下側に配置された横葺き外装材の水上側成形部の被保持部を保持部材の保持部で保持した後、その水上側に配置される横葺き外装材の水下側成形部の係合部を、水下側に配置された横葺き外装材の被係合部に係合させると共に、水下側成形部、水上側成形部が敷設状態において複数箇所でそれぞれが弾性的に当接するように取り付けることを特徴とする。
【０００８】
さらに、本発明は、横葺き外装材も提案するものであって、面板部の水下・水上側に相互に係合可能な水下側成形部、水上側成形部を有する横葺き外装材であって、水上側成形部は、面板部を表面側に折曲し、その隅部又は折曲片に形成した被係合部と、折曲片の上端を折曲基部に向かって折り返した被保持部を有し、さらに水下側へ延出して下方へ突出する第１被当接部、面板部を表面側から水下側に折り返した第３被当接部を備え、水下側成形部は、面板部を裏面側に折曲し、その下端を水上側へ延出させて前記被係合部と係合する係合部を有し、さらに水上側へ延出して上方へ突出する第１当接部、下向き傾斜する第２当接部、水上側へ延出して前記第３被当接部に係合する第３当接部、面板部を裏面側に折曲し、その折曲片を水上側へ延出した延出片に形成した第４当接部を備え、敷設状態において、第１当接部は第１被当接部、第２当接部は面板部、第３当接部は第３被当接部、第４当接部は面板部にそれぞれ弾性的に当接するように敷設可能であることを特徴とする。
【０００９】
【発明の実施の形態】
本発明の横葺き外装構造は、前述のように面板部２の水下・水上側に相互に係合可能な水下側成形部３、水上側成形部４を有する横葺き外装材（以下、単に外装材という）１を保持部材５を用いて敷設する横葺き外装構造であって、前記外装材１の水下側成形部３、水上側成形部４が敷設状態において複数箇所でそれぞれが弾性的に当接している構成である。
【００１０】
本発明に用いる外装材１の水上側成形部４は、基本構成として面板部２の水上側の端縁を表面側に折曲し、その隅部又は折曲片（以下、上向き折曲片という）４４に形成した被係合部４１と、上向き折曲片４４の上端を折曲基部に向かって折り返した被保持部４２を有する構成である。
被係合部４１は、面板部２の端縁を折り返した隅部であっても良いし、図１に示す実施例のように断面円弧状（溝状）に形成しても良い。また、上向き折曲片４４は、直立状でも良いし、図１に示す実施例のように水下側へ傾斜状であっても良く、或いは複数の傾斜片からなるものでも良い。
さらに、被保持部４２は、後述する保持部材５の保持部５１に保持される部分であって、図１に示す実施例のように水下側へ傾斜状であっても良く、特に形状を限定するものではない。
【００１１】
本発明に用いる外装材１の水下側成形部３は、基本構成として面板部２の水下側の端縁を裏面側に折曲し、その折曲片（以下、下向き折曲片という）３３の下端を水上側に延出させて前記被係合部４１と係合する係合部３１を有する構成である。
係合部３１は、前記被係合部４１に係合する部分であって、特に形状を限定するものではない。また、下向き折曲片３３は、図１に示す実施例のように面板部２からさらに水下側へ延出するよう折曲されたものでも良いし、垂下状に折曲されたものでも、水上側へ延出するように折曲されたものでも良い。
【００１２】
これら水下側成形部３と水上側成形部４は、前述のように敷設状態において複数箇所でそれぞれが弾性的に当接するが、具体的には以下の箇所から適宜に複数選択されたそれぞれの箇所で弾性的に当接する構成である。尚、図１に示す実施例では（１）〜（４）の全ての態様を含む構成である。
【００１３】
（１）水上側成形部４は、水下側へ延出して下方へ突出する第１被当接部４５を備え、水下側成形部３は、水上側へ延出して上方へ突出する第１当接部３４を備え、敷設状態において第１当接部３４は第１被当接部４５に弾性的に当接している。
図１に示す実施例では、水上側成形部４は、前記被保持部４２の水下側に、水下側へ延出して下向き傾斜し、なだらかに屈曲され、さらに上向き傾斜する案内部４６を備える構成であり、下方へ突出するなだらかな弧状部分が第１被当接部４５となる。これら第１被当接部４５及び案内部４６が形成される略Ｕ字状部分は、水下側成形部３の挿入時における弾性変形部である。そして、この第１被当接部４５の下向き傾斜角度は敷設状態における角度α１よりも大きく成形され、敷設状態では第１当接部３４との弾性的な当接により、小さい角度α１となるように敷設されているので、当接箇所に弾性反発力が常時作用する。
また、水下側成形部３に、下向き折曲片３３の下端から水上側へ延出して上向き傾斜し、なだらかに屈曲され、さらに水上側へ延出する構成であり、上方へ突出するなだらかな弧状部分が第１当接部３４である。即ち、下向き折曲片３３から水上側へ延出する延出片の途中に段状に屈曲して上方へ突出する第１当接部３４を設けた構成である。そして、この第１当接部３４の上向き傾斜角度は敷設状態における角度α２よりも大きく成形され、敷設状態では第１被当接部４５との弾性的な当接により、小さい角度α２となるように敷設されているので、当接箇所に弾性反発力が常時作用する。
尚、この第１当接部３４と第１被当接部４５との弾性的当接は、図示実施例のように二つの角度を調整するものに限定されるものではなく、何れか一方のみを調整するようにしても良い。また、弾性的に当接させるための構成についても、外装材１の各部位の折曲又は屈曲部分の角度調整やその組み合わせによってどのように弾性的に当接させるようにしても良い。
【００１４】
（２）水下側成形部３は、下向き傾斜する第２当接部３５を備え、敷設状態において第２当接部３５は面板部２に弾性的に当接している。
図１に示す実施例では、水下側成形部３は、下向き折曲片３３から水上側へ延出する延出片の先端に形成された係合部３１を下方へ折り返した折返し片状の第２当接部３５を形成した構成である。そして、この第２当接部３５の下向き傾斜角度は敷設状態における角度α３よりも大きく成形され、敷設状態では面板部２との弾性的な当接により、小さい角度α３となるように敷設されているので、当接箇所に弾性反発力が常時作用する。
尚、この第２当接部３５の弾性的当接は、図示実施例のように下向き傾斜角度を調整するものに限定されるものではなく、外装材１の各部位の折曲又は屈曲部分の角度調整やその組み合わせによってどのように弾性的に当接させるようにしても良い。
【００１５】
（３）水上側成形部４は、面板部２を表面側に折曲し、その上向き折曲片４４に形成した第３被当接部４７を備え、水下側成形部３は、水上側へ延出して前記第３被当接部４７と係合する第３当接部３６を備え、敷設状態において第３当接部３６は第３被当接部４７に弾性的に当接している。尚、例えば第３被当接部４７を溝状に、第３当接部３６を突状に形成する場合、第３被当接部４７を第３当接部３６に対して小さく成形するか、第３当接部３６を第３被当接部４７に対して大きくすることで弾性的に当接させることができる。或いは他の箇所の角度（弾性力の付与次第）を調整することにより弾性的に当接させることもできる。例えば第４当接部３７と下向き折曲片３３の角度を小さくすると、延出片の先端に設けられた第３当接部３６が上方に持ち上がって第３被当接部４７に弾性的に当接させることができ、第２当接部３５の下向き傾斜角度を大きくすると、それに近接する第３当接部３６が上方に持ち上がって第３被当接部４７に弾性的に当接させることができ、それらを組み合わせて弾性的に当接させるようにしても良い。
図１に示す実施例では、第３被当接部４７は被係合部４１であり、第３当接部３６は係合部３１である。そして、この第３当接部３６の外幅は敷設状態における外幅ｒ１、即ち第３被当接部４７の内幅よりも大きく成形され、敷設状態では第３被当接部４７との弾性的な当接により、押し狭められるように敷設されているので、当接箇所に弾性反発力が常時作用する。
【００１６】
（４）水下側成形部３は、面板部２を裏面側に折曲し、その下向き折曲片３３の下端を水上側へ延出した延出片に形成した第４当接部３７を備え、敷設状態において第４当接部３７は面板部２に弾性的に当接している。尚、延出片は、略水平状でも良いし、上向き傾斜状でも良く、第４当接部３７は面状でも良いし、線状（突出状）でも良い。また、第４当接部３７を面板部２に弾性的に当接させる構成としては、下向き折曲片３３と延出片との角度を敷設状態における角度よりも小さく成形する態様と、面板部２と下向き傾斜片３３との角度を敷設状態における角度よりも小さくする態様とがある。
図１に示す実施例では、略水平状の延出片に面状の第４当接部３７を形成した構成である。そして、この第４当接部３７と下向き折曲片３３の角度は、敷設状態における角度α４よりも小さく成形され、敷設状態では面板部２との弾性的な当接により、大きい角度α４となるように敷設されているので、当接箇所に弾性反発力が常時作用する。
【００１７】
これら（１）〜（４）の各態様の弾性的当接は、以下に示すようにそれぞれに異なる効果を奏することができる。
（１）係合、抜け止め
水上側成形部４の第１被当接部４５と水下側成形部３の第１当接部３４が相互に弾性的に突き合わされているので、係合効果がもたらされ、抜け止めに寄与する。また、下地に固定された保持部材５で保持された水上側成形部４が、水下側成形部３を上方から押さえつけているので、負圧が作用した際の抜け止めにも寄与する。
（２）雨仕舞性、強固な接合（当接）
第２当接部３５は面板部２に弾性的に当接しているので、第４当接部３７の弾性的当接と同様に連結部分への雨水の導入口を弾性的に封鎖し、雨仕舞性に効果を発揮し、さらに部位が近接する第３当接部３６での弾性的当接と相俟って強固な接合（当接）が果たされる。
（３）強固な接合（当接）
第３被当接部４７は被係合部４１、第３当接部３６は係合部３１を兼ねるので、被係合部４１と係合部３１の係合状態が弾性でより確実になるので、特に強固な接合が果たされる。
（４）雨仕舞性、強固な接合（当接）
第４当接部３７は面板部２に弾性的に当接しているので、連結部分への雨水の導入口を弾性的に封鎖し、特に雨仕舞性に高い効果を発揮する。さらに、延出片の持ち上がりを阻止する第１当接部３４での弾性的当接又は第３当接部３６での弾性的当接と相俟って強固な接合（当接）が果たされる。
そして、それぞれが相俟って、独立した空間が多数形成される。
【００１８】
このような構成を有する外装材１は、素材を特に限定するものではないが、代表的には概ね０．４乃至１．６ｍｍ程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。尚、硬質樹脂板や炭素繊維積層板等によっても同様の形状に成形することができ、全てをそれらで施工することもできるし、前記金属素材のものと組み合わせて施工することもできる。また、外装材１の裏面には、結露防止、防音、防火対策上の理由により、必要に応じてポリエチレンフォーム、グラスウールシート等の裏貼り材を添装しても良い。図示実施例では裏貼り材は点線で符号１０で表した
【００１９】
本発明に用いる保持部材５は、固定部５２と傾斜部５３と外装材１を保持する保持部５１を有する構成である。
図１に示す実施例では、保持部５１から分岐するように下向きの負圧抑制片５４を設けるようにした。
【００２０】
図１に示す横葺き外装構造は、前記構成の外装材１を前記構成の保持部材５を用いて敷設するものであって、その施工手順を図２（ａ）〜（ｃ）を用いて以下に説明する。
まず、図２（ａ）に示すように水下側に配置された外装材１の水上側成形部４の被保持部４２を保持部５１で保持するように保持部材５を固定する（固定具５２１）。
次に、図２（ｂ）に示すように水上側に配置される外装材１の水下側成形部３を水下側から水上側へ向かってスライドするように移動するが、案内片４６によりスムーズに移動でき、水下側成形部３の第１当接部３４によって、第１被当接部４５が形成された略Ｕ字状の弾性変形部を弾性に抗して押し上げる。
そして、図２（ｃ）に示すように水上側に配置される外装材１の係合部３１を、水下側に配置された外装材１の被係合部４１に係合させると、この敷設状態において、第１被当接部４５が形成された略Ｕ字状の弾性変形部は弾性により少し戻るが、成形された下向き傾斜角度よりも小さい角度（α１）にて弾性的に第１当接部３４に当接する。また、第１当接部３４は、成形された上向き傾斜角度よりも小さい角度（α２）にて弾性的に第１被当接部４５に当接する。この当接部分を図中、▲１▼のハッチングで示した。
また、前述のように水下側成形部３には係合部３１を下方へ折り返した折返し片状の第２当接部３５を形成し、その下向き傾斜角度を敷設状態における角度（α３）よりも大きく成形したので、この敷設状態において、第２当接部３５は、成形された下向き傾斜角度よりも小さい角度（α３）にて弾性的に面板部２に当接する。この当接部分を図中、▲２▼のハッチングで示した。
さらに、前述のように係合部３１（第３当接部３６）の外幅は被係合部４１（第３被当接部４７）の内幅よりも大きく成形したので、この敷設状態において、第３当接部３６は、成形された外幅よりも小さい幅（ｒ１）にて弾性的に第３被当接部４７に当接する。この当接部分を図中、▲３▼のハッチングで示した。
また、前述のように第４当接部３７と下向き折曲片３３の角度は敷設状態における角度（α４）よりも小さく成形したので、前記第１当接部３４の持ち上げに寄与する。そして、その当接部分を支点とする反発力を受けるため、この敷設状態において、第４当接部３７は、成形された角度よりも大きい角度（α４）にて弾性的に面板部２に当接する。この当接部分を図中、▲４▼のハッチングで示した。
このような手順で水下側から水上側へ順次外装材１を敷設することにより、横葺き外装構造を施工することができる。
【００２１】
このように施工された本発明の横葺き外装構造は、敷設状態において複数箇所でそれぞれが弾性的に当接しているので、より強固に且つ確実に連結されて取り付けられるものとなる。そして、一箇所の弾性が損なわれても係合関係に支障が生ずることもなく、防水性並びに連結強度にも問題を生ずることがない。
【００２２】
また、図示実施例では、前記（１）〜（４）の複数箇所のそれぞれが弾性的に当接しているので、前述の全ての効果（１）係合、抜け止め、（２）雨仕舞性、強固な接合（当接）、（３）強固な接合（当接）、（４）雨仕舞性、強固な接合（当接）が得られる。
そして、それぞれが相まって、図３（ａ）中Ａ〜Ｃで示す独立した空間が形成され、等圧理論に近似する構成となり、雨仕舞性に優れたものとなる。
【００２３】
さらに、図示実施例では、図３（ｂ）に示すように優れた正圧強度を有すると共に図３（ｃ）に示すように優れた負圧強度を有するものとなる。
正圧強度については、図３（ｂ）に示すように○で囲った部分で水上側成形部４がその上方の外装材１を支える。即ち正圧荷重により外装材１が押されても、水下側の水上側成形部４が支えとなるため正圧強度に優れたものとなる。
負圧強度については、図３（ｃ）に示すように○で囲った部分で保持部材５の下向きの負圧抑制片５４が水上側成形部４を支える。即ち負圧荷重により外装材１が持ち上げられても、水上側成形部４のスプリングバックと保持部材５の負圧抑制片５４で○で囲った部分の水上側成形部４を押さえるため負圧強度に優れたものになる。また、保持部材５の下向きの負圧抑制片５４の下端は、略Ｕ字状の弾性変形部の隅部に係止される状態で負圧を抑制するので、この弾性変形部、即ち第１被当接部４５と案内片４６は負圧抑制の面でも貢献する。そして、負圧作用時にも第１被当接部４５と第１当接部３４との当接が維持され、抜け止め等の効果が果たされるものとなる。また、弾性変形部は、保持部材５の下向きの負圧抑制片５４が直接的に水下側成形部３と接触することを防止するカバー材の効果も果たす。即ち負圧抑制片５４の先端が繰り返し衝突することにより、亀裂や穿孔を生ずることがあるが、水下側成形部３にそのような損傷が生じた場合には漏水や連結不良を生ずる虞があるが、仮に弾性変形部に損傷が生じても被保持部４２の水下側に位置しているため、漏水や連結不良を生ずる虞は無い。
【００２４】
図４に示す実施例では、水上側成形部４に形成した第１被当接部４５に代えて第２被係合部４８を形成し、水下側成形部３に形成した第１当接部３４に代えて第２係合部３８を形成し、下向きの負圧抑制片５４が設けられない保持部材５’を用いて敷設した以外は、前記図１の実施例とほぼ同様であるから図面に同一符号を付して説明を省略する。
この実施例における第２被係合部４８は、略Ｖ字状に屈曲する形状であって、第２係合部３８は、前記図１の実施例における第１当接部３４と同一形状であるが、第２被係合部４８が形成された略Ｖ字状部分は、敷設状態でも成形された下向き傾斜角度のまま配置されており、第２係合部３８も、敷設状態でも成形された上向き傾斜角度のまま配置されており、敷設状態において弾性的に当接しておらず、弾性的に係合している。即ちその施工手順を図５（ａ）〜（ｃ）に示したが、最終的に当接しているかいないかの相違があるだけで、前記図１の実施例の施工手順である前記図２（ａ）〜（ｃ）と基本的に同様である。したがって、前記弾性的当接の（２）〜（４）の態様を含む構成である。
【００２５】
図６には、外装材１の水上側成形部４、水下側成形部３、及びその組み合わせのバリエーションの一部を示す。尚、図６（ｃ）以外は、下向きの負圧抑制片５４が設けられない保持部材５’を用いて敷設した。
図６（ａ）は、前記図４の実施例と同様に前記弾性的当接の（２）〜（４）の態様を含み、第２係合部３８と第２被係合部４８が弾性的に係合する構成であって、第４当接部３７が線状（突出状）に形成された例である。
図６（ｂ）は、前記図１の実施例と同様に前記弾性的当接の（１）〜（４）の全ての態様を含むが、案内片４６が形成されない例である。
図６（ｃ）は、前記弾性的当接の（２）〜（４）の態様を含む構成である。尚、この実施例における水上側成形部４には、被保持部４２の水下側に前記弾性変形部と同形状の略Ｕ字状部分が設けられているので、保持部材５の下向きの負圧抑制片５４の下端は、この略Ｕ字状部分の隅部に係止される状態で負圧を抑制することができ、前述の図１の実施例と同様に負圧抑制の効果を有する。
図６（ｄ）は、前記弾性的当接の（１），（２），（４）の態様を含む構成である。
【００２６】
以上本発明を図面の実施の形態に基づいて説明したが、本発明は前記実施の形態に限定されるものではなく、特許請求の範囲に記載の構成を変更しない限りどのようにでも実施することができる。第１〜４の当接部３４〜３７は、複数、即ち少なくとも２つが弾性当接すれば良く、他の当接部は例えば第２係合部３８，第２被係合部４８のように弾性係合するだけでも良いし、弾性が働かない当接でも良い。
【００２７】
【発明の効果】
以上要するに本発明の横葺き外装構造は、敷設状態において複数箇所でそれぞれが弾性的に当接しているので、より強固に且つ確実に連結されて取り付けられるものとなる。そして、がたつきなどが無く、高い防水性、連結強度を有するものとなる。
【００２８】
また、水上側成形部は、水下側へ延出して下方へ突出する第１被当接部を備え、水下側成形部は、水上側へ延出して上方へ突出する第１当接部を備え、敷設状態において第１被当接部と第１当接部は弾性的に当接している態様を採用した場合、特に係合、抜け止めに高い効果を発揮する。
【００２９】
水下側成形部は、下向き傾斜する第２当接部を備え、敷設状態において第２当接部は面板部に弾性的に当接している態様を採用した場合、第４当接部の弾性的当接と同様に連結部分への雨水の導入口を弾性的に封鎖するので、特に雨仕舞性に効果を発揮し、さらに近接する第３当接部での弾性的当接と相俟って強固な接合（当接）が果たされる。
【００３０】
水上側成形部は、面板部を表面側に折曲し、その折曲片に形成した第３被当接部を備え、水下側成形部は、水上側へ延出して前記第３被当接部と係合する第３当接部を備え、敷設状態において第３被当接部と第３当接部は弾性的に当接している態様を採用した場合、第３被当接部は被係合部、第３当接部は係合部を兼ねるので、被係合部と係合部の係合状態が弾性でより確実になるので、特に強固な接合が果たされる。
【００３１】
水下側成形部は、面板部を裏面側に折曲し、その折曲片の下端を水上側へ延出した延出片に形成した第４当接部を備え、敷設状態において第４当接部は面板部に弾性的に当接している態様を採用した場合、連結部分への雨水の導入口を弾性的に封鎖するので、特に雨仕舞性に高い効果を発揮する。
【００３２】
また、本発明の横葺き外装構造の施工方法は、外装材を水下側から水上側へ順に取り付けていくものであって、前述のように強固に且つ確実に連結されるので、がたつきの有無を判断して施工を確認でき、仮にがたつきが生じた場合には直ちに施工不良を発見して部材の交換等の対処を施すことができる。
【００３３】
また、本発明の横葺き外装材は、前述の第１〜第４の当接部の全てを含むので、その施工に載し、強固に且つ確実に連結させて敷設することができる。
【図面の簡単な説明】
【図１】（ａ）本発明の横葺き外装構造の一実施例を示す側断面図、（ｂ）裏貼り材を欠載した要部拡大図である。
【図２】（ａ）〜（ｃ）図１の横葺き外装構造の施工手順を示す拡大側断面図である。
【図３】（ａ）図１の横葺き外装構造の雨仕舞性を示す拡大側断面図、（ｂ）正圧耐性を示す拡大側断面図、（ｃ）負圧耐性を示す拡大側断面図である。
【図４】（ａ）本発明の横葺き外装構造の他の一実施例を示す側断面図、（ｂ）裏貼り材を欠載した要部拡大図である。
【図５】（ａ）〜（ｃ）図４の横葺き外装構造の施工手順を示す拡大側断面図である。
【図６】外装材の水上側成形部、水下側成形部、及びその組み合わせのバリエーションの一部を示す側断面図である。
【符号の説明】
１  （横葺き）外装材
２  面板部
３  水下側成形部
３１  係合部
３４  第１当接部
３５  第２当接部
３６  第３当接部
３７  第４当接部
４  水上側成形部
４１  被係合部
４２  被保持部
４５  第１被当接部
４７  第３被当接部
５  保持部材
５１  保持部
【図１】
2004251041.tif 000003
【図２】
2004251041.tif 000004
【図３】
2004251041.tif 000005
【図４】
2004251041.tif 000006
【図５】
2004251041.tif 000007
【図６】
2004251041.tif 000008